(57)【特許請求の範囲】
【請求項１】
映像データ信号に基づいて表示素子を駆動する、縦続接続された複数の駆動回路からなり、
該駆動回路には、クロック信号に同期してスタートパルス信号をシフトして転送する転送手段と、該転送手段の出力に基づいて映像データ信号を選択する選択手段と、該選択手段とより選択された映像データ信号をラッチ信号によってラッチするラッチ手段とが設けられ、
少なくとも上記クロック信号及びスタートパルス信号が、上記駆動回路間でカスケード接続されている表示素子用駆動装置において、
上記映像データ信号は、上記複数の駆動回路間でカスケード接続されており、
上記各駆動回路は、
次段の駆動回路へのスタートパルス信号の出力時、または出力より所定時間だけ早い出力所定時間前まで、上記クロック信号および上記映像データ信号の次段の駆動回路への出力を停止する出力制御手段を有しており、当該出力制御手段は、上記転送手段の出力のうちの一つの出力をＴｒｉｇ信号として使用し、上記クロック信号および上記映像データ信号を次段の駆動回路に出力していることを特徴とする表示素子用駆動装置。
【請求項２】
上記転送手段は、ｍ段のシフトレジスタであり、
上記出力制御手段は、上記ｍ段のシフトレジスタの出力のうちの（ｍ−２）段の出力に基づいて、上記クロック信号および上記映像データ信号を次段の駆動回路に出力していることを特徴とする請求項１に記載の表示素子用駆動装置。
【請求項３】
請求項１または２に記載の表示素子用駆動装置と、該表示素子用駆動装置により駆動される表示素子とを備えていることを特徴とする表示モジュール。
【発明の詳細な説明】
【０００１】
【発明の属する技術分野】
本発明は、映像データ信号に基づいて液晶表示素子などの表示素子を駆動する複数の駆動回路が縦続接続されてなる表示素子用駆動装置、及びそれを用いた表示モジュールに関するものである。
【０００２】
【従来の技術】
液晶表示素子に用いられる従来の表示素子用駆動装置において、そのソース側のシステム構成を図１２に示す。尚、ここでの液晶表示素子としての液晶パネルの画素数は、８００画素×３（ＲＧＢ）［ソース側］×６００画素［ゲート側］である。
【０００３】
上記表示素子用駆動装置において、ソース側の複数の駆動回路としてのソースドライバＬＳＩ（Large Scale Integrated Circuit）１０１は、６４階調表示を行うものであり、それぞれ１００画素×３（ＲＧＢ）を駆動している。よって、上記ソース側の表示素子用駆動装置は、８個のソースドライバＬＳＩ１０１により構成されている。
【０００４】
尚、上記８個のソースドライバＬＳＩ１０１を互いに区別する必要がある場合には、１〜７段目のソースドライバＬＳＩ１０１をそれぞれ第１〜第７ソースドライバと記し、最終段のソースドライバＬＳＩ１０１を第８ソースドライバと記す。
【０００５】
上記各ソースドライバＬＳＩ１０１は、ＴＣＰ（Tape Carrier Package）（図示せず）に搭載されて用いられている。尚、ＴＣＰとは、一般的に、テープ・フィルムにドライバＬＳＩを張り付けた薄型パッケージのことである。
【０００６】
また、上記表示素子用駆動装置はコントローラ１０２を備えている。該コントローラ１０２の各出力端子ＶLS，Ｖcc，ＧＮＤ，Ｖref １〜９から出力される各電圧は、第１〜第８ソースドライバにそれぞれ共通に、並列して供給されている。また、上記コントローラ１０２の各出力端子ＬＳ，Ｒ・Ｇ・Ｂ，ＳＣＫから出力される各種信号も、上記第１〜第８ソースドライバにそれぞれ共通に、並列して供給されている。尚、後述する、出力端子ＳＳＰＩから出力されるソースドライバ用スタートパルス信号は、第１〜第８ソースドライバに、順次伝搬されている。
【０００７】
以下に、上記コントローラ１０２の出力端子ＬＳ，Ｒ・Ｇ・Ｂ，ＳＣＫ，ＳＳＰＩから出力される各種信号の流通経路について具体的に説明する。
【０００８】
まず、コントローラ１０２の出力端子Ｒ・Ｇ・Ｂから出力された映像データ信号Ｒ・Ｇ・Ｂ（Ｒ，Ｇ，Ｂ各々６ビットから成る）、コントローラ１０２の出力端子ＳＣＫから出力されたクロック信号ＣＫ、及びコントローラ１０２の出力端子ＬＳから出力されたラッチ信号ＬＳの各信号線が、第１〜第８ソースドライバに、各々共通配線を介して、並列して入力される。
【０００９】
一方、上記コントローラ１０２の出力端子ＳＳＰＩから出力されたソースドライバ用スタートパルス信号ＳＰＩは、第１ソースドライバの入力端子ＳＰinに入力される。入力されたソースドライバ用スタートパルス信号ＳＰＩは、該第１ソースドライバ内部を転送され、ソースドライバ用スタートパルス信号ＳＰＯとして出力端子ＳＰout から出力される。該第１ソースドライバから出力されたソースドライバ用スタートパルス信号ＳＰＯは、次段の第２ソースドライバの入力端子ＳＰinに、ソースドライバ用スタートパルス信号ＳＰＩとして入力される。以下、同様にして、ソースドライバ用スタートパルス信号ＳＰＩは、第８ソースドライバまでシフトされながら転送される。
【００１０】
また、コントローラ１０２の出力端子Ｖccから出力されたソースドライバＬＳＩ１０１用の電源電圧Ｖcc、コントローラ１０２の出力端子ＧＮＤに電気的に接続された接地電位ＧＮＤ、コントローラ１０２の出力端子Ｖref １〜９から出力された６４ビット階調表示用電圧Ｖref １〜９、及びコントローラ１０２の出力端子ＶLSから出力された、液晶パネル印加電圧調整用電圧ＶLSも、上述した各信号の流通経路と同様に、第１〜第８ソースドライバに、各々共通配線により、並列して供給されている。尚、電源電圧Ｖcc、接地電位ＧＮＤ、６４ビット階調表示用電圧Ｖref １〜９、及び液晶パネル印加電圧調整用電圧ＶLSを、以下、電源関係電圧と称する。
【００１１】
次に、図１２に示した上記ソースドライバＬＳＩ１０１の回路構成について、図１３のブロック図に基づいて説明する。さらに、第１〜第８ソースドライバの動作の説明を、図１４に示す各信号のタイミングチャートも参照しながら説明する。
【００１２】
ソースドライバＬＳＩ１０１は、図１３に示すように、シフトレジスタ１１１、データラッチ回路１１２、サンプリングメモリ１１３、ホールドメモリ１１４、基準電圧発生回路１１５、Ｄ／Ａコンバータ１１６、出力回路１１７から構成されている。
【００１３】
シフトレジスタ１１１には、コントローラ１０２の出力端子ＳＳＰＩから出力されたソースドライバ用スタートパルス信号ＳＰＩ（図１４参照）が、入力端子ＳＰinから入力される。該ソースドライバ用スタートパルス信号ＳＰＩは、後述する映像データ信号Ｒ・Ｇ・Ｂの水平同期信号と同期を取った同期信号である。また、上記シフトレジスタ１１１には、コントローラ１０２の出力端子ＳＣＫから出力されたクロック信号ＣＫ（図１４参照）が第１〜第８ソースドライバ入力端子ＣＫinから入力される。
【００１４】
第１ソースドライバのシフトレジスタ１１１は、ソースドライバ用スタートパルス信号ＳＰＩをスタートパルスとし、該ソースドライバ用スタートパルス信号ＳＰＩのハイレベル期間に入力されたクロック信号ＣＫの最初の立ち上がりにより、該ソースドライバ用スタートパルス信号ＳＰＩをシフトする。このシフトされたソースドライバ用スタートパルス信号ＳＰＩは、第１ソースドライバの出力端子ＳＰout からソースドライバ用スタートパルス信号ＳＰＯとして出力され、次段の第２ソースドライバの入力端子ＳＰinに入力される。このように、ソースドライバ用スタートパルス信号ＳＰＩは、最終段の第８ソースドライバまで、同様にシフトされる。
【００１５】
一方、コントローラ１０２の出力端子Ｒ・Ｇ・Ｂから出力された映像データ信号Ｒ・Ｇ・Ｂは、Ｒ，Ｇ，Ｂ各々６ビットで構成されている（図１４参照）。これら映像データ信号Ｒ・Ｇ・Ｂは、図１３に示すように、第１ソースドライバの入力端子Ｒ１〜６in，Ｇ１〜６in，Ｂ１〜６inから、並列してデータラッチ回路１１２に入力される。該映像データ信号Ｒ・Ｇ・Ｂは、該データラッチ回路１１２で、一時的にラッチされた後、サンプリングメモリ１１３に送られる。尚、上記映像データ信号Ｒ・Ｇ・Ｂは、Ｒ（Red ），Ｇ（Green ），Ｂ（Blue）各々６ビット、計１８ビットで構成されるカラーデジタル映像信号である。
【００１６】
上記サンプリングメモリ１１３は、前述のシフトレジスタ１１１の各段の出力信号により、時分割で送られてくる映像データ信号Ｒ・Ｇ・Ｂをサンプリングし、後述のラッチ信号ＬＳ（コントローラ１０２の出力端子ＬＳから出力される）が入力されるまで記憶する。
【００１７】
これらの映像データ信号Ｒ・Ｇ・Ｂは、次にホールドメモリ１１４に入力される。そして、映像データ信号Ｒ・Ｇ・Ｂの１水平期間のデータが、該ホールドメモリ１１４に入力された時点で、入力端子ＬＳinから入力されたラッチ信号ＬＳによりラッチされる。該ホールドメモリ１１４は、次の水平期間のデータがサンプリングメモリ１１３からホールドメモリ１１４に入力されるまでの間、映像データ信号Ｒ・Ｇ・Ｂの１水平期間のデータ保持して、Ｄ／Ａコンバータ１１６に出力する。このとき、シフトレジスタ１１１及びサンプリングメモリ１１３は、次の水平期間の新たな映像データ信号Ｒ・Ｇ・Ｂの取り込みを行っている。
【００１８】
基準電圧発生回路１１５は、コントローラ１０２の出力端子Ｖref １〜９から出力されて、第１〜第８ソースドライバの入力端子Ｖref １〜９に入力される基準電圧を基に、例えば、抵抗分割により階調表示に用いる６４レベルの電圧を発生させる。
【００１９】
Ｄ／Ａコンバータ１１６は、Ｒ，Ｇ，Ｂ各々６ビットのデジタルの映像データ信号Ｒ・Ｇ・Ｂを、アナログ信号に変換する。そして、出力回路１１７は、コントローラ１０２の出力端子ＶLSから出力されて、第１〜第８ソースドライバの入力端子ＶLSに入力される液晶パネル印加電圧調整用電圧ＶLSより、６４レベルのアナログ信号を増幅し、出力端子ＸＯ１〜ＸＯ１００・ＹＯ１〜ＹＯ１００・ＺＯ１〜ＺＯ１００から液晶パネルの入力端子（図示せず）へ出力する。
【００２０】
上記出力端子ＸＯ１〜ＸＯ１００・ＹＯ１〜ＹＯ１００・ＺＯ１〜ＺＯ１００は、各々１００端子の映像データ信号Ｒ・Ｇ・Ｂに対応するものである。尚、端子Ｖcc及びＧＮＤは、第１〜第８ソースドライバに電源電圧Ｖcc及び接地電位ＧＮＤを供給するための電源用入力端子である。
【００２１】
以上のように、ＴＣＰに搭載されたソースドライバＬＳＩ１０１を８個縦続接続し、各種信号や電源関係電圧を共通に供給することで、従来の表示素子用駆動装置のソース側のシステムが構成されていた。
【００２２】
近年、液晶パネルの大画面化が進み、上述した液晶パネルの画素数のように、８００画素×３（ＲＧＢ）［ソース側］×６００画素［ゲート側］となると、ソース側のクロック信号は、約６０ＭＨｚに達する。このように高速なクロック信号で、複数のソースドライバＬＳＩを動作させると、消費電力が非常に大きくなる。従って、このような消費電力の増加は、携帯用液晶表示装置において、電池の容量にも大きな負担となってきている。
【００２３】
一般的に、液晶表示素子の表示を行っている間、液晶表示素子を駆動させる複数の駆動回路は、コントローラから送信される信号、例えばクロック信号、表示用の映像データ信号等を常に受信している。従って、全ての駆動回路において、内部ロジックが常に動作することとなり、不要な充放電電流が発生して消費電力が増大する。
【００２４】
これに対応する手法として、不要な駆動回路の内部ロジックの動作を止めることで低消費電力化を図る方法が、例えば、特開平５−７２９９２号公報や特開平９−６８９４９号公報に提案されている。
【００２５】
図１５は、特開平５−７２９９２号公報に開示されている駆動装置の基本構成を示す図である。この駆動装置は、縦続接続された複数個のドライバにおける各ドライバ１２１ｉ（ｉ＝１，２，…，ｎ）に、タイミング発生手段を有する制御回路１２２を設け、この制御回路１２２により、各ドライバ１２１ｉに並列的に入力されるクロック信号やＲＧＢ信号等を、特定のドライバが動作している間は他のドライバ内には供給を止めることで低消費電力化を実現している。
【００２６】
尚、図１５において、ＰＤＩはドライバ１２１1 に入力する制御信号、ＰＤＯはカウントアップ出力、ＳＴＩはスタートパルス入力信号、ＳＴＯはスタートパルス出力信号、Ｌ／Ｒはシフト方向指示信号、ＤＳはスタートパルス入送出判定制御信号である。
【００２７】
一方、特開平９−６８９４９号公報に開示されている液晶駆動装置を構成している液晶駆動回路の基本構成を図１６に示す。上記液晶駆動装置は、縦続的に接続された複数個の駆動回路に、シフトレジスタ１３１のスタート信号の入力から出力までの期間を検出し、データバッファの動作を制御するデータストップ回路付きデータバッファ１３２を設けている。このデータストップ回路付きデータバッファ１３２により、各液晶駆動回路に並列して入力されたデータ信号（Ｒ・Ｇ・Ｂ信号）は、特定の液晶駆動回路が動作している間は他の液晶駆動回路内には供給を止められている構成となっている。これにより、低消費電力化を実現している。
【００２８】
尚、図１６において、ＳＴＨＬはカスケード信号、ＳＴＨＲはスタート信号、ＣＬＫはクロック信号、Ｒ／Ｌはシフト方向切り替え信号、ＤＲ０〜ＤＰ７・ＤＧ０〜ＤＧ７・ＤＢ０〜ＤＢ７は表示データ、ＳＴＢはラッチ信号、V0〜V255は階調レベル電源である。また、C1〜C80 はシフトレジスタ１３１からの内部信号であり、S1〜S240は階調レベル電源V0〜V255から選択されて出力される階調レベルである。
【００２９】
【発明が解決しようとする課題】
しかし、近年、液晶表示モジュール等の表示モジュールに対する市場からのさらなる低コスト化、薄型化、軽量化、小型化及び低消費電力化への要求はさらに厳しくなってきている。そこで、これらの要求に対する対応の一つとして、上記従来の構成のように、複数の駆動回路に対して、各信号がそれぞれ共通の信号線を介して並列的に供給されるのではなく、複数の駆動回路間で信号線を接続することにより、信号を駆動回路に供給する方式が提案されている。
【００３０】
これは、駆動回路間を接続する信号線により信号を伝搬させることで、信号線長短縮化による浮遊容量の削減が実現されて高速化に対応できるようになることや、これによる消費電力の削減を可能とする。また、上記のような方式を採用することで、共通の信号線を配置するために必要となる外付けの基板（フレキシブル基板もしくはプリント基板）を廃することも可能となり、極力基板の面積を縮小することも可能となる。
【００３１】
上記のように、駆動回路間で信号を伝搬させる、ソース側の表示素子用駆動装置のシステム構成の一例を図１７に示す。
【００３２】
上記表示素子用駆動回路は、ソースドライバ用スタートパルス信号ＳＰＩだけではなく、各６ビットの映像データ信号Ｒ・Ｇ・Ｂ、クロック信号ＣＫ、ラッチ信号ＬＳや、電源関係電圧としての電源電圧Ｖcc，接地電位ＧＮＤ，６４ビット階調表示用電圧Ｖref １〜９，液晶パネル印加電圧調整用電圧ＶLSを、８個のソースドライバＬＳＩ１４１の内部ロジック（内部回路）やあるいは、Ａ１線等の内部配線を使用することで、第１ソースドライバから次段の第２ソースドライバへ、各種信号をそれぞれ伝搬させた構成となっている。
【００３３】
図１８は、上記ソースドライバＬＳＩ１４１の回路構成についてのブロック図を示している。尚、説明の便宜上、前記した図１３で示した各部材と同一の機能を有する部材には、同一の符号を付記し、その説明を省略する。
【００３４】
各ソースドライバＬＳＩ１４１の一辺に、液晶パネルヘの出力端子ＸＯ１〜１００，ＹＯ１〜１００，ＺＯ１〜１００が配されている。この一辺の側方の二辺のうちの一方の辺には、クロック信号ＣＫ、映像データ信号Ｒ・Ｇ・Ｂ各６ビット、及びラッチ信号ＬＳの入力端子ＣＫin，Ｒin・Ｇin・Ｂin，ＬＳinが配され、さらに他辺にはそれらの出力端子ＣＫout ，Ｒout ・Ｇout ・Ｂout ，ＬＳout が配されている。
【００３５】
また、同様に、電源関係電圧である６４ビット階調表示用電圧Ｖref １〜９、液晶パネル印加電圧調整用電圧ＶLS、電源電圧Ｖcc、接地電位ＧＮＤを供給するための入力端子Ｖref １〜９in，ＶLS，Ｖcc，ＧＮＤと、出力端子Ｖref １〜９out ，ＶLS，Ｖcc，ＧＮＤとが配されている。該電源関係電圧は、各電圧配線であるＶcc，ＧＮＤ，Ｖref １〜９，ＶLS線を、ソースドライバＬＳＩ１４１の内部配線により、各入力端子Ｖcc，ＧＮＤ，Ｖref １〜９in，ＶLSと出力端子Ｖcc，ＧＮＤ，Ｖref １〜９out ，ＶLSとの２つの端子を接続して使用される。
【００３６】
上記したこれらの各入力端子及び出力端子は、各ソースドライバＬＳＩ１４１のＡｌ線等の内部配線で接続されている。図１８には、これら入力端子ＣＫin，Ｒin・Ｇin・Ｂin，ＬＳin，Ｖref １〜９in，ＶLS，Ｖcc，ＧＮＤと、出力端子ＣＫout ，Ｒout ・Ｇout ・Ｂout ，ＬＳout ，Ｖref １〜９out ，ＶLS，Ｖcc，ＧＮＤとが、ソースドライバＬＳＩ１４１の内部配線で接続された構成が、模式的に示されている。
【００３７】
ソースドライバ用スタートパルス信号ＳＰＩは、入力端子ＳＰinより入力され、ソースドライバＬＳＩ１４１内部のシフトレジスタ１１１でクロック信号ＣＫに同期を取りシフトされ、ソースドライバ用スタートパルス信号ＳＰＯとして出力端子ＳＰout から出力される。
【００３８】
ソースドライバＬＳＩ１４１の各ブロックの動作は、前述のソースドライバＬＳＩ１０１と同じである。
【００３９】
さらに、図１９に、別のソース側の表示素子用駆動装置のシステム構成の一例を示す。
【００４０】
上記表示素子用駆動装置は、高速に動作する各種信号線を８個のソースドライバＬＳＩ１５１間で接続し、電源関係電圧は、それぞれ共通の配線により各ソースドライバＬＳＩ１５１に並列して供給される構成となっている。
【００４１】
以上のような構成とすることにより、液晶表示モジュール等の表示モジュールの低コスト化、薄型化、軽量化、小型化を実現することは可能である。しかし、このような構成では上述したように消費電力の増大化が問題となる。
【００４２】
本発明は上記の問題点に鑑みてなされたもので、上記のような近年著しく進んだ低コスト化、薄型化、軽量化並びに小型化に対応したシステム構成、すなわち、駆動回路規模の大幅な増大がなく、さらに各信号をある駆動回路から次段の駆動回路へ伝搬させるように、各駆動回路を互いにカスケード接続して配線長を短くした、高速なクロック信号による映像データ信号の転送が可能なシステム構成の表示素子用駆動装置において、低消費電力化が可能な表示素子用駆動装置及びそれを用いた大画面パネルに対応できる低消費電力型表示モジュールを提供するものである。
【００４３】
【課題を解決するための手段】
本発明の表示素子用駆動装置は、上記の課題を解決するために、映像データ信号に基づいて表示素子を駆動する、縦続接続された複数の駆動回路からなり、該駆動回路には、クロック信号に同期してスタートパルス信号をシフトして転送する転送手段と、該転送手段の出力に基づいて映像データ信号を選択する選択手段と、該選択手段により選択された映像データ信号をラッチ信号によってラッチするラッチ手段とが設けられ、少なくとも上記クロック信号及びスタートパルス信号が、上記駆動回路間でカスケード接続されている表示素子用駆動装置において、上記映像データ信号は、上記複数の駆動回路間でカスケード接続されており、上記各駆動回路は、次段の駆動回路へのスタートパルス信号の出力時、または出力より所定時間だけ早い出力所定時間前まで、上記クロック信号および上記映像データ信号の次段の駆動回路への出力を停止する出力制御手段を有しており、当該出力制御手段は、上記転送手段の出力のうちの一つの出力をＴｒｉｇ信号として使用し、上記クロック信号および上記映像データ信号を次段の駆動回路に出力していることを特徴としている。
上記転送手段は、ｍ段のシフトレジスタであり、上記出力制御手段は、上記ｍ段のシフトレジスタの出力のうちの（ｍ−２）段の出力に基づいて、上記クロック信号および上記映像データ信号を次段の駆動回路に出力しているように構成することができる。
【００４４】
上記の構成によれば、縦続接続されている複数の駆動回路にそれぞれ設けられている出力制御手段は、スタートパルス信号の出力時、または出力より所定時間早い出力所定時間前まで、クロック信号の出力を停止している。つまり、上記出力制御手段は、次段の駆動回路へのスタートパルス信号の出力と同時、または出力時より所定時間だけ早いタイミングで、クロック信号を次段の駆動回路へ出力する。従って、映像データ信号の取り込み動作が行われていない次段以降の駆動回路には、クロック信号が入力されず、その転送手段、選択手段、及びラッチ手段等はその動作を停止している。
【００４５】
尚、カスケード接続とは、一般的には、２つ以上の装置を一方の出力がそれに続く装置の入力となるように接続することであることから、ここで用いられているような、クロック信号及びスタートパルス信号が、駆動回路間でカスケード接続されているとは、これら各信号が、ある駆動回路から、該駆動回路とカスケード接続されている次段の駆動回路へと順次伝搬していくことである。
【００４６】
一般的に、上記のように、駆動回路を構成している転送手段、選択手段、ラッチ手段等は高速動作を行っている。よって、映像データ信号の取り込みが行われていない、すなわち、動作させる必要のない駆動回路において、上記転送手段、選択手段、ラッチ手段等が不必要に動作すると、消費電力が大幅に増加することになる。
【００４７】
そこで、上記した表示素子用駆動装置のような構成を用いることで、映像データ信号の取り込み動作が行われていない駆動回路において、高速動作する上記転送手段、選択手段、ラッチ手段等の不要な動作を停止させることができる。
【００４８】
また、クロック信号自体が高速で動作する信号であるので、該クロック信号が、動作させる必要のない次段以降の駆動回路に入力されないことにより、該クロック信号を伝搬するために駆動回路外部に配される外部配線や、該外部配線が配されている外部基板等の浮遊容量の充放電が行われない。
【００４９】
これにより、動作させる必要のない駆動回路において、転送手段、選択手段、ラッチ手段等の高速動作による消費電力や、外部配線等の浮遊容量の充放電による消費電力を大幅に削減し、表示素子用駆動装置の低消費電力化を実現することができる。
【００５０】
さらに、少なくとも上記クロック信号及びスタートパルス信号が、駆動回路間でカスケード接続されて各駆動回路間を伝搬するので、上記クロック信号及びスタートパルス信号を各駆動回路に並列して供給するための外部配線が不要となる。
【００５１】
これにより、外部配線数が削減できるので、表示素子用駆動装置の小型化を実現することができる。また、外部配線を配置するための外付けの基板を小型化、あるいは省略して、更なる表示素子用駆動装置の小型化を実現することができる。
【００５２】
本発明の表示素子用駆動装置は、上記の課題を解決するために、上記のように、上記映像データ信号は、上記複数の駆動回路間でカスケード接続されており、上記出力制御手段は、次段の駆動回路へのスタートパルス信号の出力時、または出力より所定時間だけ早い出力所定時間前まで、上記映像データ信号の次段の駆動回路への出力を停止することを特徴としている。
【００５３】
上記の構成によれば、クロック信号と同様に、映像データ信号も複数の駆動回路間でカスケード接続されている。さらに、出力制御手段は、上記クロック信号と同様に、上記映像データ信号に対しても、次段の駆動回路への出力を制御している。すなわち、上記出力制御手段は、スタートパルス信号の出力時、または出力時より所定時間前まで、上記映像データ信号の出力を停止している。
【００５４】
以上のように、クロック信号と共に映像データ信号も、映像データ信号の取り込み動作が行われていない次段以降の駆動回路に出力されないので、例えば、駆動回路外部に配された外部配線や該外部配線を配置するための外付けの基板等の浮遊容量の充放電は行われない。さらに、次段以降の駆動回路において、例えば映像データ信号の入力バッファと一時的に映像データ信号をラッチする回路との間の動作による不要な消費電力を削減することができる。
【００５５】
これにより、動作させる必要のない駆動回路の高速動作による消費電力や、外部配線等の浮遊容量の充放電による消費電力を大幅に削減し、さらなる低消費電力化を実現することができる。
【００５６】
さらに、上記クロック信号及びスタートパルス信号に加えて、映像データ信号も駆動回路間でカスケード接続されているので、映像データ信号を各駆動回路に並列して供給するための共通配線としての外部配線も不要となる。
【００５７】
これにより、外部配線数が削減できるので、その結果、表示素子用駆動回路をさらに小型化することができる。また、外部配線を配置するための外付けの基板を小型化、あるいは省略して、更なる表示素子用駆動装置の小型化を実現することができる。
【００５８】
本発明の表示素子用駆動装置は、上記の課題を解決するために、上記のように、上記出力制御手段は、上記転送手段の出力のうちの一つの出力に基づいて、上記クロック信号を次段の駆動回路に出力していることを特徴としている。
【００５９】
上記の構成によれば、出力制御手段は、転送手段の出力のうちの一つの出力に基づいて、クロック信号の出力のタイミングを決定している。従って、複雑な構成は必要ではなく、簡単な構成の付加回路で上記出力制御手段を構成することが可能である。
【００６０】
これにより、駆動回路のサイズを大幅に増加させることなく、またコストアップも極力避けながら、消費電力を削減することができる。
【００６１】
本発明の表示素子用駆動装置は、上記の課題を解決するために、上記のように、上記出力制御手段は、上記転送手段の出力のうちの一つの出力に基づいて、上記クロック信号または／及び上記映像データ信号を次段の駆動回路に出力していることを特徴としている。
【００６２】
上記の構成によれば、出力制御手段は、転送手段の出力のうちの一つの出力に基づいて、クロック信号または／及び映像データ信号の出力のタイミングを決定している。従って、複雑な構成は必要ではなく、簡単な構成の付加回路で上記出力制御回路を構成することが可能である。
【００６３】
これにより、駆動回路のサイズを大幅に増加させることなく、またコストアップも極力避けながら、消費電力を削減することができる。
【００６４】
本発明の表示モジュールは、上記の課題を解決するために、上記の表示素子用駆動装置と、該表示素子用駆動装置により駆動される表示素子とを備えていることを特徴としている。
【００６５】
上記の構成によれば、上記のような、低消費電力化、さらに小型化された表示素子用駆動装置が、表示モジュールにおける表示素子を駆動している。
【００６６】
これにより、軽量化、薄型化、小型化及び低コスト化が実現された表示モジュールを実現することができる。
【００６７】
【発明の実施の形態】
〔実施の形態１〕
本発明の実施の一形態について図１ないし図７に基づいて説明すれば、以下のとおりである。
【００６８】
本実施の形態に係る表示素子用駆動装置は、液晶表示素子（表示素子）としての液晶パネルを駆動する、縦続接続された複数のソースドライバＬＳＩ（Large Scale Integrated Circuit）（駆動回路）からなる。
【００６９】
上記ソースドライバＬＳＩは、それぞれＴＣＰ（Tape Carrier Package）に搭載されている。尚、ＴＣＰとは、テープ・フィルムにドライバＬＳＩを貼り付けた薄型パッケージのことである。
【００７０】
また、本実施の形態における液晶パネルの画素数は、８００画素×３（ＲＧＢ）［ソース側］×６００画素［ゲート側］である。上記各ソースドライバＬＳＩは、６４階調表示を行い、１００画素×３（ＲＧＢ）を駆動するものであるので、ＴＣＰに搭載されたソースドライバＬＳＩは８個必要となる。
【００７１】
まず、本実施の形態に係る表示素子用駆動装置を構成している複数のソースドライバＬＳＩと、これらソースドライバＬＳＩの接続構成を図１、図２及び図３に基づいて説明する。
【００７２】
尚、ここで説明する液晶パネルの画素数やソースドライバＬＳＩの構成は一例であり、これによって限定されるものではない。
【００７３】
図１に示すように、本実施の形態に係る表示素子用駆動装置は、ソース側の複数の駆動回路としての８個のソースドライバＬＳＩ１と、これら８個のソースドライバＬＳＩ１に電圧や信号を供給するコントローラ２とを備えている。上記８個のソースドライバＬＳＩ１は縦続接続されており、以下ソースドライバＬＳＩ１を互いに区別する必要がある場合には、１〜７段目のソースドライバＬＳＩ１をそれぞれ第１〜第７ソースドライバと記し、最終段のソースドライバＬＳＩ１を第８ソースドライバと記す。
【００７４】
上記ソースドライバＬＳＩ１は、それぞれ内部ロジック１ａと、出力制御回路（出力制御手段）１ｂとを備えている。
【００７５】
上記コントローラ２は、出力端子ＶLS，Ｖcc，ＧＮＤ，Ｖref １〜９を有している。これら出力端子ＶLS，Ｖcc，ＧＮＤ，Ｖref １〜９からは、それぞれ、液晶パネル印加電圧調整用電圧ＶLS、電源電圧Ｖcc、接地電位ＧＮＤ、及び６４ビット階調表示用電圧Ｖref １〜９が出力される。尚、液晶パネル印加電圧調整用電圧ＶLS、電源電圧Ｖcc、接地電位ＧＮＤ、及び６４ビット階調表示用電圧Ｖref １〜９は、以下、電源関係電圧と称する。これら電源関係電圧は、それぞれ共通の配線を介して、上記第１〜第８ソースドライバに並列して供給されている。尚、出力制御回路１ｂへ接続される電源電圧Ｖcc及び接地電位ＧＮＤの配線は省略されている。
【００７６】
さらに、上記コントローラ２は、出力端子ＳＳＰＩ，ＬＳ，Ｒ・Ｇ・Ｂ，ＳＣＫを有している。これら出力端子ＳＳＰＩ，ＬＳ，Ｒ・Ｇ・Ｂ，ＳＣＫからは、ソースドライバ用スタートパルス信号ＳＰＩ、ラッチ信号ＬＳ、映像データ信号Ｒ・Ｇ・Ｂ、クロック信号ＣＫの各種信号が出力される。出力される各信号は、第１〜第８ソースドライバ間を接続する各接続配線により、第１〜第８ソースドライバに入力されている。すなわち、上記した各種信号は、第１〜第８ソースドライバ間でカスケード接続されることにより、各ソースドライバへ順次伝搬されている構成となっている。
【００７７】
尚、カスケード接続とは、一般的には、２つ以上の装置を一方の出力がそれに続く装置の入力となるように接続することである。そこで、ここで用いられているような、各種信号が第１〜第８ソースドライバ間でカスケード接続されているとは、これら各種信号が、あるソースドライバＬＳＩ１から、該ソースドライバＬＳＩ１とカスケード接続されている次段のソースドライバＬＳＩ１へと順次伝搬されていることである。
【００７８】
以下に、上記コントローラ２の出力端子ＳＳＰＩ，ＬＳ，Ｒ・Ｇ・Ｂ，ＳＣＫから出力される各種信号の流通経路について具体的に説明する。
【００７９】
コントローラ２の出力端子ＳＳＰＩから出力されたソースドライバ用スタートパルス信号ＳＰＩは、まず第１ソースドライバに入力される。該第１ソースドライバに入力されたソースドライバ用スタートパルス信号ＳＰＩは、該ソースドライバ内部を転送され、ソースドライバ用スタートパルス信号ＳＰＯとして出力される。該ソースドライバ用スタートパルス信号ＳＰＯは、ソースドライバ用スタートパルス信号ＳＰＩとして、次段の第２ソースドライバに入力される。
【００８０】
コントローラ２の出力端子Ｒ・Ｇ・Ｂから出力された映像データ信号Ｒ・Ｇ・Ｂは、まず第１ソースドライバに入力される。これら各映像データ信号Ｒ・Ｇ・Ｂは、それぞれ６ビットからなる。第１ソースドライバに入力された映像データ信号Ｒ・Ｇ・Ｂは、後述する出力制御回路１ｂを経由して、該第１ソースドライバから次段の第２ソースドライバに入力される。
【００８１】
コントローラ２の出力端子ＳＣＫから出力されたクロック信号ＣＫは、まず、第１ソースドライバに入力される。該第１ソースドライバに入力されたクロック信号ＣＫは、後述する出力制御回路１ｂを経由して、該第１ソースドライバから、次段の第２ソースドライバに入力される。
【００８２】
以下、同様にして、ソースドライバ用スタートパルス信号ＳＰＩ、映像データ信号Ｒ・Ｇ・Ｂ、及びクロック信号ＣＫは、それぞれ第１〜第８ソースドライバ間の接続配線により、第８ソースドライバまで順次伝搬される。
【００８３】
また、コントローラ２の出力端子ＬＳから出力されたラッチ信号ＬＳは、第１〜第８ソースドライバの内部配線、及び第１〜第８ソースドライバ間の接続配線を用いることにより、第１〜第８ソースドライバに並列して入力されている。
【００８４】
尚、内部ロジック１ａから出力制御回路１ｂに出力されるＴｒｉｇ信号については、後述する出力制御回路１ｂと共に説明する。
【００８５】
次に、第１〜第８ソースドライバであるソースドライバＬＳＩ１の内部ロジック１ａ、及び出力制御回路１ｂの回路構成を、図２のブロック図に基づいて説明する。
【００８６】
図２に示すように、上記ソースドライバＬＳＩ１は、内部ロジック１ａを構成しているシフトレジスタ（転送手段）１１、データラッチ回路１２、サンプリングメモリ（選択手段）１３、ホールドメモリ（ラッチ手段）１４、基準電圧発生回路１５、Ｄ／Ａコンバータ１６、及び出力回路１７と、出力制御回路１ｂとを備えている。
【００８７】
まず、第１ソースドライバのシフトレジスタ１１には、コントローラ２の出力端子ＳＳＰＩから出力され、第１ソースドライバの入力端子ＳＰinから入力されたソースドライバ用スタートパルス信号ＳＰＩが入力される。該ソースドライバ用スタートパルス信号ＳＰＩは、後述する映像データ信号Ｒ・Ｇ・Ｂの水平同期信号と同期を取った同期信号である。
【００８８】
また、上記シフトレジスタ１１には、コントローラ２の出力端子ＳＣＫから出力されて、第１ソースドライバの入力端子ＣＫinから入力されたクロック信号ＣＫが入力される。
【００８９】
上記第１ソースドライバのシフトレジスタ１１は、上記ソースドライバ用スタートパルス信号ＳＰＩをスタートパルスとし、該ソースドライバ用スタートパルス信号ＳＰＩのハイレベル期間に入力されたクロック信号ＣＫの最初の立ち上がりにより、該ソースドライバ用スタートパルス信号ＳＰＩをシフトして転送する。
【００９０】
上記シフトレジスタ１１は１００段からなっており、該シフトレジスタ１１の最終段（本実施の形態においては１００段）までシフトされて、第１ソースドライバの出力端子ＳＰout から出力されるソースドライバ用スタートパルス信号ＳＰＯは、次段の第２ソースドライバの入力端子ＳＰinに、ソースドライバ用スタートパルス信号ＳＰＩとして入力される。
【００９１】
このように、ソースドライバ用スタートパルス信号ＳＰＩは、最終段の第８ソースドライバまで、同様にシフトされる。
【００９２】
ここで、本実施の形態においては、１００段で構成されているシフトレジスタ１１の９８段目の出力がＴｒｉｇ信号として取り出されて、出力制御回路１ｂに入力されている。すなわち、一般的に説明すれば、ｍ段のシフトレジスタの内、（ｍ−ｘ）段からの出力をＴｒｉｇ信号として後述の出力制御回路１ｂに入力させていることになる（ｘ＝０，１，２，…，ｍ−１）。尚、本実施の形態において、シフトレジスタ１１の９８段目の出力をＴｒｉｇ信号として使用していることによる作用効果については、後で詳細に説明する。
【００９３】
一方、コントローラ２の出力端子Ｒ・Ｇ・Ｂから出力された映像データ信号Ｒ・Ｇ・Ｂは、第１ソースドライバの入力端子Ｒ１〜６in，Ｇ１〜６in，Ｂ１〜６inから入力される。入力された該映像データ信号Ｒ・Ｇ・Ｂは、各々並列的にデータラッチ回路１２に入力される。該映像データ信号Ｒ・Ｇ・Ｂは、データラッチ回路１２で一時的にラッチされた後、サンプリングメモリ１３に送られる。尚、上記映像データ信号Ｒ・Ｇ・Ｂは、Ｒ（Red ），Ｇ（Green ），Ｂ（Blue）各々６ビット、計１８ビットで構成されるカラーデジタル映像信号である。
【００９４】
上記サンプリングメモリ１３は、前述のシフトレジスタ１１の各段の出力信号により、時分割で送られてくる映像データ信号Ｒ・Ｇ・Ｂをサンプリングし、後述のラッチ信号ＬＳ（コントローラ２の出力端子ＬＳから出力される）が入力されるまで記憶している。
【００９５】
上記サンプリングメモリ１３に記憶されている映像データ信号Ｒ・Ｇ・Ｂは、次にホールドメモリ１４に入力される。そして、映像データ信号Ｒ・Ｇ・Ｂの１水平期間のデータが該ホールドメモリ１４に入力された時点で、入力端子ＬＳinから入力されたラッチ信号ＬＳによりラッチされる。該ホールドメモリ１４は、次の水平期間の映像データ信号Ｒ・Ｇ・Ｂがサンプリングメモリ１３からホールドメモリ１４に入力されるまでの間、映像データ信号Ｒ・Ｇ・Ｂの１水平期間のデータ保持して、Ｄ／Ａコンバータ１６に出力する。このとき、シフトレジスタ１１及びサンプリングメモリ１３は、次の水平期間の新たな映像データ信号Ｒ・Ｇ・Ｂの取り込みを行っている。
【００９６】
基準電圧発生回路１５は、コントローラ２の出力端子Ｖref １〜９から出力されて、第１〜第８ソースドライバの入力端子Ｖref １〜９に並列して入力される基準電圧を基に、例えば、抵抗分割により階調表示に用いる６４レベルの電圧を発生させる。
【００９７】
Ｄ／Ａコンバータ１６は、Ｒ，Ｇ，Ｂ各々６ビットのデジタルの映像データ信号Ｒ・Ｇ・Ｂを、アナログ信号に変換する。そして、出力回路１７は、コントローラ２の出力端子ＶLSから出力され、第１〜第８ソースドライバの入力端子ＶLSに並列して入力される液晶パネル印加電圧調整用電圧ＶLSにより、６４レベルのアナログ信号を増幅し、出力端子ＸＯ１〜ＸＯ１００・ＹＯ１〜ＹＯ１００・ＺＯ１〜ＺＯ１００から液晶パネルの入力端子（図示せず）へ出力する。
【００９８】
上記出力端子ＸＯ１〜ＸＯ１００・ＹＯ１〜ＹＯ１００・ＺＯ１〜ＺＯ１００は、Ｒ，Ｇ，Ｂ各１００端子の映像データ信号Ｒ・Ｇ・Ｂにそれぞれ対応するものである。尚、入力端子Ｖcc及びＧＮＤは、電源電圧Ｖcc及び接地電位ＧＮＤを供給するための電源用入力端子である。
【００９９】
以上のように、本実施の形態における表示素子用駆動装置のソース側のシステムは、高速に動作するクロック信号ＣＫ等の各種信号が第１〜第８ソースドライバ間でそれぞれカスケード接続され、電源関係電圧は、それぞれ共通の配線により、第１〜第８ソースドライバに並列的に供給される構成となっている。
【０１００】
つまり、ソースドライバＬＳＩ１の入力端子ＣＫｉｎ，Ｒ１〜６in，Ｇ１〜６in，Ｂ１〜６inから入力されたクロック信号ＣＫ及び映像データ信号Ｒ・Ｇ・Ｂは、ソースドライバＬＳＩ１内に設けられたＡｌ線（アルミニウム線）等からなる内部配線を使用することにより、出力制御回路１ｂを経由して、出力端子ＣＫout ，Ｒ１〜６out ，Ｇ１〜６out ，Ｂ１〜６out から出力され、後段のソースドライバＬＳＩ１に入力されている。
【０１０１】
また、ソースドライバＬＳＩ１の入力端子ＬＳｉｎから入力されたラッチ信号ＬＳは、ソースドライバＬＳＩ１内に設けられたＡｌ線（アルミニウム線）等からなる内部配線を使用することにより、出力制御回路１ｂに入力されると共に、出力端子ＬＳout から出力されて、後段のソースドライバＬＳＩ１にも並列して供給されている。
【０１０２】
次に、図３に基づいて、出力制御回路１ｂについて具体的に説明する。出力制御回路１ｂは、Ｄタイプフリップフロップ（以下、ＤＦ／Ｆと称す）２１と、１９個の２入力ＮＡＮＤゲート２２と、１９個のインバータ２３とで構成されている。
【０１０３】
上記ＤＦ／Ｆ２１の入力端子Ｄには電源電圧Ｖccが、入力端子ＣＫにはＴｒｉｇ信号が、リセットＲ（Ｖccレベルでリセットされる）にはラッチ信号ＬＳが接続されている。該ＤＦ／Ｆ２１の出力端子Ｑは、２入力ＮＡＮＤゲート２２の２入力端子の一方の入力端子に接続されている。
【０１０４】
上述したように、映像データ信号Ｒ・Ｇ・Ｂは各６ビットずつで合計１８ビットとなるため、上記１９個の２入力ＮＡＮＤゲート２２のうち、１８個の２入力ＮＡＮＤゲート２２ａの他方の入力端子には、映像データ信号Ｒ・Ｇ・Ｂが各々入力されている。該２入力ＮＡＮＤゲート２２ａの出力は、それぞれインバータ２３ａを介して、１８ビットの映像データ信号Ｒｏ・Ｇｏ・Ｂｏとして出力される。
【０１０５】
一方、１９個の２入力ＮＡＮＤゲートのうち、残り１個の２入力ＮＡＮＤゲート２２ｂの他方の入力端子は、クロック信号ＣＫの入力端子ＣＫinと接続されている。該クロック信号ＣＫが入力された２入力ＮＡＮＤゲート２２ｂの出力は、インバータ２３ｂを介してクロック信号ＣＫｏとして出力される。
【０１０６】
図４は、上記出力制御回路１ｂによる、本実施の形態に係る表示素子用駆動装置のシステム動作及び各信号のタイミングチャートである。
【０１０７】
ラッチ信号ＬＳがＨｉｇｈレベルとなると、第１〜第８ソースドライバ全てに、入力端子ＬＳinからラッチ信号ＬＳが入力される。このＨｉｇｈレベルのラッチ信号ＬＳは、第１〜第８ソースドライバの出力制御回路１ｂのＤＦ／Ｆ２１に入力される。このラッチ信号ＬＳの入力により、該出力制御回路１ｂはリセットされるので、ＤＦ／Ｆ２１の出力端子Ｑから出力される信号はＬｏｗレベルとなる。従って、インバータ２３から出力される映像データ信号Ｒｏ・Ｇｏ・Ｂｏとクロック信号ＣＫｏとは、共にＬｏｗレベルとなる。
【０１０８】
ラッチ信号ＬＳがＨｉｇｈレベルとなった後、ソースドライバ用スタートパルス信号ＳＰＩは、第１ソースドライバに入力され、クロック信号ＣＫに同期を取り、内部ロジック１ａの１００段のシフトレジスタ１１内を転送される。該第１ソースドライバから出力されたソースドライバ用スタートパルス信号ＳＰＯは、次段の第２ソースドライバに、ソースドライバ用スタートパルス信号ＳＰＩとして入力される。
【０１０９】
また、本実施の形態においては、Ｔｒｉｇ信号としてシフトレジスタ１１の９８段目の出力が、出力制御回路１ｂのＤＦ／Ｆ２１の入力端子ＣＫから該ＤＦ／Ｆ２１に入力される。上記Ｔｒｉｇ信号の立ち上がりに、該ＤＦ／Ｆ２１は入力端子Ｄから入力されるＨｉｇｈレベル（Ｖccレベル）の信号を出力端子Ｑから出力する。
【０１１０】
出力端子Ｑから２入力ＮＡＮＤゲート２２へ出力される信号がＨｉｇｈレベルになることにより、ゲートが開かれる。これにより１８ビットの映像データ信号Ｒ・Ｇ・Ｂ及びクロック信号ＣＫは、各々１８ビットの映像データ信号Ｒｏ・Ｇｏ・Ｂｏ及びクロック信号ＣＫｏとして、次段の第２ソースドライバへ出力される。
【０１１１】
以上のように、第１ソースドライバにソースドライバ用スタートパルス信号ＳＰＩが取り込まれた後、映像データ信号Ｒｏ・Ｇｏ・Ｂｏ及びクロック信号ＣＫｏが第１ソースドライバから出力されるまでの期間（図４での第１ソースドライバデータ取込み期間）には、第１ソースドライバ内のシフトレジスタ１１、データラッチ回路１２及びサンプリングメモリ１３は、先に説明した通りの動作を行っている。
【０１１２】
一方、この時、第２〜第８ソースドライバには、クロック信号ＣＫ及び映像データ信号Ｒ・Ｇ・Ｂが入力されないため、内部ロジック１ａ及び出力制御回路１ｂの動作は行われていない。
【０１１３】
第１ソースドライバの出力端子ＣＫout 及びＲout ・Ｇout ・Ｂout から出力されたクロック信号ＣＫｏ及び映像データ信号Ｒｏ・Ｇｏ・Ｂｏは、次段の第２ソースドライバの入力端子ＣＫin及びＲin・Ｇin・Ｂinから、クロック信号ＣＫ及び映像データ信号Ｒ・Ｇ・Ｂとして入力される。それと共に、ソースドライバ用スタートパルス信号ＳＰＩが該第２ソースドライバに取り込まれると、該第２ソースドライバも、上記第１ソースドライバと同様に、動作を開始する。
【０１１４】
すなわち、上述した第１ソースドライバと同様に、第２ソースドライバに入力されたソースドライバ用スタートパルス信号ＳＰＩは、クロック信号ＣＫ（第１ソースドライバからの出力）に同期を取り、内部ロジック１ａの１００段のシフトレジスタ１１により転送される。シフトレジスタ１１の最終段（１００段）の出力は、ソースドライバ用スタートパルス信号ＳＰＯとして出力される。該ソースドライバ用スタートパルス信号ＳＰＯは、次段の第３ソースドライバに、ソースドライバ用スタートパルス信号ＳＰＩとして入力される。
【０１１５】
一方、第２ソースドライバにおけるシフトレジスタ１１の９８段目の出力は、Ｔｒｉｇ信号として、出力制御回路１ｂのＤＦ／Ｆ２１の入力端子ＣＫに入力される。該Ｔｒｉｇ信号の立ち上がりに、ＤＦ／Ｆ２１が入力端子Ｄから入力されるＨｉｇｈレベル（Ｖccレベル）の信号を出力端子Ｑから出力する。
【０１１６】
出力端子Ｑから２入力ＮＡＮＤゲート２２へ出力される信号がＨｉｇｈレベルになることにより、ゲートが開かれる。これにより映像データ信号Ｒ・Ｇ・Ｂ及びクロック信号ＣＫは、各々映像データ信号Ｒｏ・Ｇｏ・Ｂｏ及びクロック信号ＣＫｏとして、次段の第３ソースドライバへ出力されることになる。
【０１１７】
第２ソースドライバにソースドライバ用スタートパルス信号ＳＰＩが取り込まれてから、上記映像データ信号Ｒｏ・Ｇｏ・Ｂｏ及びクロック信号ＣＫｏが該第２ソースドライバから出力されるまでの期間、第１及び第２ソースドライバ内のシフトレジスタ１１、データラッチ回路１２、及びサンプリングメモリ１３は、先に説明したとおり、映像データの取り込み等の動作を行っている。
【０１１８】
一方、この時、第３〜第８ソースドライバには、映像データ信号Ｒ・Ｇ・Ｂ及びクロック信号ＣＫが入力されないので、内部ロジック１ａ及び出力制御回路１ｂの動作は行われていない。
【０１１９】
このように、クロック信号ＣＫ及び映像データ信号Ｒ・Ｇ・Ｂは、出力制御回路１ｂにより、映像データ信号Ｒ・Ｇ・Ｂの取り込み動作が行われていない次段以降のソースドライバＬＳＩ１には入力されないように制御されている。これにより、動作させる必要のないソースドライバＬＳＩ１を不必要に動作させることがないので、消費電力を大幅に低減することができる。
【０１２０】
以上説明したように、第１〜第８ソースドライバは、ソースドライバ用スタートパルス信号ＳＰＩをクロック信号ＣＫに同期して取り込むことにより、順次動作を開始する。すなわち、内部ロジック１ａのシフトレジスタ１１におけるソースドライバ用スタートパルス信号ＳＰＩの転送と、転送された該ソースドライバ用スタートパルス信号ＳＰＩによるシフトレジスタ１１の各段の出力とに基づいて、１８ビットの映像データ信号Ｒ・Ｇ・Ｂのサンプリングメモリ１３ヘの取り込みを行う。そして、最終的には、最終段の第８ソースドライバまでの全てのソースドライバＬＳＩ１が、動作を行う。
【０１２１】
次に、隣接する第１〜第８ソースドライバ間における各信号の詳細なタイミングチャートを図５に示す。
【０１２２】
第ｎソースドライバ（ｎ＝２，３，…，８）には、前段の第ｎ−１ソースドライバから出力されたソースドライバ用スタートパルス信号ＳＰＯが、ソースドライバ用スタートパルス信号ＳＰＩとして入力される。上記第ｎソースドライバは、該ソースドライバ用スタートパルス信号ＳＰＩが入力された後、最初のクロック信号ＣＫ（図５ではＣＫ１と記載）の入力時を開始時とし、該第ｎソースドライバ内で上記クロック信号ＣＫに同期を取り転送される。
【０１２３】
そして、シフトレジスタ１１の各段の出力を基にして、上記第ｎソースドライバに入力された映像データ信号Ｒ・Ｇ・Ｂは、サンプリングメモリ１３の所定のメモリ番地に入力される。
【０１２４】
シフトレジスタ１１は１００段目の出力としてソースドライバ用スタートパルス信号ＳＰＯを出力する。この信号が、ソースドライバ用スタートパルス信号ＳＰＩとして、次段の第ｎ＋１ソースドライバに入力される。
【０１２５】
一方、第ｎソースドライバのシフトレジスタ１１の９８段目の出力は、Ｔｒｉｇ信号として出力制御回路１ｂに入力される。上述したような出力制御回路１ｂでの動作により、ＤＦ／Ｆ２１の出力端子Ｑから出力される信号がＨｉｇｈレベルになると、第ｎソースドライバは、第ｎ＋１ソースドライバにクロック信号ＣＫｏ及び映像データ信号Ｒｏ・Ｇｏ・Ｂｏを出力する。
【０１２６】
そして、第ｎ＋１ソースドライバは、ソースドライバ用スタートパルス信号ＳＰＩ（第ｎソースドライバから出力されたソースドライバ用スタートパルス信号ＳＰＯ）の入力後、最初に入力されたクロック信号ＣＫ（図５に１と記載されている）から、第ｎ＋１ソースドライバ内で、上記クロック信号ＣＫに同期を取り、上記ソースドライバ用スタートパルス信号ＳＰＩの転送を開始する。そして、シフトレジスタ１１の各段の出力に基づいて、映像データ信号Ｒ・Ｇ・Ｂはサンプリングメモリ１３の所定のメモリ番地に入力される。
【０１２７】
上述したように、本実施の形態では、１００段のシフトレジスタ１１における９８段目の出力が、Ｔｒｉｇ信号として取り出されている。前記した（ｍ−ｘ）段で言えば、ｍ＝１００，ｘ＝２の例となる。
【０１２８】
このように、ｘ＝２としてＴｒｉｇ信号を発生させることで、図５に示すような時間Ｔを得ることができる。この時間Ｔを確保することにより、映像データ信号Ｒ・Ｇ・Ｂ及びクロック信号ＣＫ（特にクロック信号ＣＫ）をソースドライバ用スタートパルス信号ＳＰＩに先だって入力することになる。これにより、第ｎ＋１ソースドライバがソースドライバ用スタートパルス信号ＳＰＩを安定して取り込むことができる。
【０１２９】
尚、次のラッチ信号ＬＳが入力されるまでは、第ｎソースドライバのホールドメモリ１４、Ｄ／Ａコンバータ１６及び出力回路１７は、一つ前に入力されたラッチ信号ＬＳでラッチされた信号を出力し続けている。
【０１３０】
以上のような動作を順次行い、画像の１水平期間分に必要な全映像データ信号Ｒ・Ｇ・Ｂが、最終段の第８ソースドライバのサンプリングメモリ１３に取り込まれた段階で、コントローラ２からラッチ信号ＬＳが出力される。このラッチ信号ＬＳの入力により、第１〜第８ソースドライバは、サンプリングメモリ１３にメモリされているデータを、ホールドメモリ１４ヘ転送すると共に、Ｄ／Ａコンバータ１６及び出力回路１７を介して、液晶パネルヘ所定の駆動電圧として出力される。
【０１３１】
一方、第１〜第８ソースドライバの出力制御回路１ｂのＤＦ／Ｆ２１は、上記ラッチ信号ＬＳによりリセットされ、一旦、出力されている映像データ信号Ｒ・Ｇ・Ｂ及びクロック信号ＣＫをＬｏｗレベルにする。その後、コントラローラ２から、次のソースドライバ用スタートパルス信号ＳＰＩ及びクロック信号ＣＫが第１ソースドライバに入力されると、上述した動作を順次行う。このような動作を６００回繰り返すことで、８００×６００画素からなる１画面が表示されることになる。
【０１３２】
尚、図２及び図３では、入出力バッファ回路が省略されている。
【０１３３】
次に、本実施の形態における第１〜第８ソースドライバ並びにそのシステム構成を用いた液晶表示モジュール（表示モジュール）のシステム構成を図６に示す。
【０１３４】
上記液晶表示モジュールは、本実施の形態に係る表示用駆動装置を構成している複数の駆動回路としてのソースドライバＬＳＩ１及びゲートドライバＬＳＩ３と、該ソースドライバＬＳＩ１及びゲートドライバＬＳＩ３を搭載している各ＴＣＰ４，５と、液晶表示素子としての液晶パネル６と、コントローラ２が設けられたフレキシブル基板７とで構成されている。
【０１３５】
上記ソースドライバＬＳＩ１の出力端子は、ＴＣＰ４上のＴＣＰ配線を介して、ＴＣＰ４における液晶パネル６への出力端子に対して電気的に接続されている。ＴＣＰ４における液晶パネル６への出力端子（ＴＣＰ配線）は液晶パネル６上のＩＴＯ端子( Indium Tin Oxide：インジウムすず酸化物）に、例えば、ＡＣＦ（Anisotropic Conductive Film ：異方性導電膜）を介して、熱圧着され電気的に接続されている。
【０１３６】
一方、フレキシブル基板７の配線と、各ＴＣＰ配線とは、例えばＡＣＦやハンダを介して、電気的に接続されている。
【０１３７】
そして、第１〜第８ソースドライバヘ供給される映像データ信号Ｒ・Ｇ・Ｂ、クロック信号ＣＫ、ラッチ信号ＬＳは、コントラローラ２の各端子から、フレキシブル基板７上の各配線を通っている。
【０１３８】
第１ソースドライバに入力された上記各信号は、該第１ソースドライバから出力され、フレキシブル基板７上の配線を介して、次段の第２ソースドライバに入力される。以下、第３〜第８ソースドライバにも、同様に、上記各信号が順次入力される。
【０１３９】
一方、図１ないし図３に基づいて説明したように、ソースドライバ用スタートパルス信号ＳＰＩは、第１ソースドライバの入力端子ＳＰinに入力され、ソースドライバＬＳＩ１の内部ロジック１ａのシフトレジスタ１１を転送される。該シフトレジスタ１１の最終段まで転送されたソースドライバ用スタートパルス信号ＳＰＩは、ソースドライバ用スタートパルス信号ＳＰＯとして、出力端子ＳＰout から出力される。
【０１４０】
上記のように第１ソースドライバから出力されたソースドライバ用スタートパルス信号ＳＰＯは、再びフレキシブル基板７上の配線を介して、次段の第２ソースドライバの入力端子ＳＰinに、ソースドライバ用スタートパルス信号ＳＰＩとして入力される。以下、第３〜第８ソースドライバまで、同様にしてソースドライバ用スタートパルス信号ＳＰＩが転送される。
【０１４１】
また、電源電圧Ｖcc、接地電位ＧＮＤ、６４ビット階調表示用電圧Ｖref １〜９、及び液晶パネル印加電圧調整用電圧ＶLSも同様に、コントローラ２の出力端子Ｖcc，ＧＮＤ，Ｖref １〜９，ＶLSからフレキシブル基板７上の配線を介して、それぞれ第１〜第８ソースドライバに共通に供給されている。
【０１４２】
一方、ゲートドライバＬＳＩ３も同様にＴＣＰ５に搭載され、そのＴＣＰ配線はソースドライバＬＳＩ１のＴＣＰ配線と同様に、液晶パネル６の端子、並びにフレキシブル基板７の配線とそれぞれ電気的に接続されている。
【０１４３】
コントローラ２から、ゲートドライバ用クロック信号ＧＣＫ（コントラローラ２の出力端子ＧＣＫから出力）と、電源電圧Ｖcc、接地電位ＧＮＤ、及び液晶パネル印加電圧調整用電圧Ｖref １〜２（コントローラの出力端子Ｖcc，ＧＮＤ，Ｖref １〜２から出力）が、各ゲートドライバＬＳＩ３に供給されている。
【０１４４】
また、ゲートドライバ用スタートパルス信号ＧＳＰＩ（コントローラの出力端子ＧＳＰＩから出力）が、第１ゲートドライバに入力されている。そして、該ゲートドライバ用スタートパルス信号ＧＳＰＩは、該第１ゲートドライバの内部を、ゲートドライバ用クロック信号ＧＣＫに同期を取り転送されて出力される。出力されたゲートドライバ用スタートパルス信号ＧＳＰＩは、次段の第２ゲートドライバへ入力されている。
【０１４５】
尚、第１〜第８ソースドライバの動作の詳細は、先に説明した通りである。
【０１４６】
次に、液晶パネル６及びフレキシブル基板７に、ソースドライバＬＳＩ１を搭載した際の断面図を図７に示す。
【０１４７】
液晶パネル６の下側基板６ａに設けられている液晶パネル側端子６ｂと、ソースドライバＬＳＩ１を搭載したＴＣＰ配線とは、ＡＣＦを介して熱圧着により電気的に接続され、かつ固定されている。一方、ＴＣＰ配線とフレキシブル基板７のＴＣＰ配線部とは、上記ＡＣＦもしくはハンダ付けにより電気的に接続、かつ固定されている。上記ソースドライバＬＳＩ１は、バンプを介してＴＣＰ配線（インナーリード部）と接続される。ＴＣＰ配線における接続部以外は、ソルダーレジストで保護されている。尚、図７では、ソースドライバＬＳＩ１を保護するための封止材は省略されている。
【０１４８】
以上のように、本実施の形態において、ソース側の１２本の電源関係電圧（電源電圧Ｖcc、接地電位ＧＮＤ，６４ビット階調表示用電圧Ｖｒｅｆ１〜９，液晶パネル印加電圧調整用電圧ＶＬＳ）の配線は、外付けの基板であるフレキシブル基板７上の配線を介して、第１〜第８ソースドライバに並列に各電圧を供給している。
【０１４９】
また、ソース側の２１本の信号線（ソースドライバ用スタートパルス信号ＳＰＩ、クロック信号ＣＫ、ラッチ信号ＬＳ、映像データ信号Ｒ・Ｇ・Ｂ各６ビット）は、上記フレキシブル基板７上の配線を介して、隣接する第１〜第８ソースドライバ間を接続している。これらの信号線は、フレキシブル基板７上の配線を介して接続されているが、電源関係電圧の配線のように配線長が長くないため、浮遊容量等は小さい。従って、高速なクロック信号ＣＫの動作にも問題はない。
【０１５０】
これにより、高速に動作する信号の信号線は第１〜第８ソースドライバ間で接続することで、浮遊容量等の影響を極力減らし、電源関係電圧の配線はフレキシブル基板７上等の外部配線を使用することで配線抵抗を下げている。
【０１５１】
以上のように、本実施の形態における表示素子用駆動装置は、クロック信号ＣＫ及び映像データ信号Ｒ・Ｇ・Ｂを、出力制御回路１ｂにより、映像データ信号Ｒ・Ｇ・Ｂの取り込み動作が行われていない次段以降のソースドライバＬＳＩ１には入力されないように制御されているので、動作させる必要のないソースドライバＬＳＩ１を不必要に動作させることがない。また、上記出力制御回路１ｂは、シフトレジスタ１１の出力のうちの１つの出力により、クロック信号ＣＫ及び映像データ信号Ｒ・Ｇ・Ｂの出力のタイミングを決定する構成であるので、複雑な回路構成は必要ではない。これにより、高速に動作する信号線をソースドライバＬＳＩ１間でカスケード接続させて高速処理を行い、かつサイズを大幅に増加させることなく、消費電力を大幅に低減することができる。
【０１５２】
また、上記のような表示素子用駆動装置を用いることにより、液晶表示モジュールの軽量化、薄型化、小型化及び低コスト化を実現することができる。
【０１５３】
尚、ここでは、ラッチ信号ＬＳを供給する信号線は、第１〜第８ソースドライバに入力端子ＬＳin、出力端子ＬＳout を設けることにより、隣接する第１〜第８ソースドライバ間で接続されている。しかし、上記ラッチ信号ＬＳは低速であるため、出力端子ＬＳout を廃し、電源関係電圧の配線と同じく、第１〜第８ソースドライバに並列に、入力端子ＬＳinから供給する構成でも良い。
【０１５４】
また、本実施の形態における第１〜第８ソースドライバでは、クロック信号ＣＫと映像データ信号Ｒ・Ｇ・Ｂとが、共に出力制御回路１ｂを介して制御されている構成となっているが、クロック信号ＣＫに対してのみ出力制御回路１ｂを介して制御を行い、映像データ信号Ｒ・Ｇ・Ｂは、そのまま第１〜第８ソースドライバ内の配線を介して、出力端子Ｒout ・Ｇout ・Ｂout から出力される構成とすることもできる。
【０１５５】
このような構成の場合、動作を行う必要のないソースドライバＬＳＩ１内にも映像データ信号Ｒ・Ｇ・Ｂが出力されるので、例えばフレキシブル基板７等の外部基板の不要容量を充放電する。従って、クロック信号ＣＫと映像データ信号Ｒ・Ｇ・Ｂとの両方を出力制御回路１ｂにより制御する構成よりも不要な消費電力が増えることになる。しかし、１８ビットの映像データ信号Ｒ・Ｇ・Ｂが出力制御回路１ｂを経由しないので、出力制御回路１ｂのＮＡＮＤゲート２２ａ及びインバータ２３ａの回路を削減することができ、コストダウンにつながるという効果を奏する。
【０１５６】
〔実施の形態２〕
本発明の第２の実施の形態について、図８ないし図１１に基づいて説明すれば、以下のとおりである。尚、説明の便宜上、前記した実施の形態１で説明した部材と同様の作用を行う部材については同一の番号を付記し、その説明を省略する。
【０１５７】
本実施の形態に係る表示素子用駆動装置は、ソースドライバＬＳＩ（駆動回路）３１が前記した実施の形態１のソースドライバＬＳＩ１の変形したものであること以外は、実施の形態１の表示素子用駆動装置とほぼ同様の構成である。
【０１５８】
図８に示すように、本実施の形態に係る表示素子用駆動装置は、ソース側の複数の駆動回路としての８個のソースドライバＬＳＩ３１と、これら８個のソースドライバＬＳＩ３１に電圧や信号を供給するコントローラ２とを備えている。上記８個のソースドライバＬＳＩ３１は縦続接続されており、以下ソースドライバＬＳＩ３１を互いに区別する必要がある場合には、１〜７段目のソースドライバＬＳＩ３１をそれぞれ第１〜第７ソースドライバと記し、最終段のソースドライバＬＳＩ３１を第８ソースドライバと記す。
【０１５９】
上記ソースドライバＬＳＩ３１は、それぞれ内部ロジック３１ａと、出力制御回路１ｂとを備えており、内部ロジック３１ａは実施の形態１の内部ロジック１ａとほぼ同様の動作を行う。
【０１６０】
図９は、本実施の形態に係る表示素子用駆動装置を構成しているソースドライバＬＳＩ３１のシステム構成を示すブロック図である。
【０１６１】
図８および図９に示すように、上記ソースドライバＬＳＩ３１は、各種信号線に加えて、電源関係電圧の配線も、Ａ１線等のソースドライバＬＳＩ３１の内部配線を用いて、隣接する第１〜第８ソースドライバ間をカスケード接続している構成となっている。尚、図９に示すように、電源関係電圧である電源電圧Ｖccおよび接地電位ＧＮＤも、それぞれ内部ロジック３１ａ及び出力制御回路１ｂの内部回路に供給されている。これら電源関係電圧の動作は、実施の形態１に係る表示素子用駆動装置と同じであるのでその説明は省略する。また、出力制御回路１ｂへ接続される電源電圧Ｖcc及び接地電位ＧＮＤの配線は省略されている。
【０１６２】
次に、上記表示素子用駆動装置を搭載した本実施の形態の液晶モジュールは、図１０に示すように、実施の形態１の液晶モジュールにおいて、隣接するＴＣＰ４を電気的に接続するとともに、ソースドライバＬＳＩ３１内に設けられたＡｌ線等からなる内部配線を使用することによって、各種信号及び電源関係電圧がＴＣＰ４内部を通って伝達するようにし、外部配線を供給するための外付けの基板であるフレキシブル基板７を排するものである。
【０１６３】
上記ソースドライバＬＳＩ３１を搭載したＴＣＰ４を、液晶パネル６に接続する接続形態を図１１に示す。
【０１６４】
ソースドライバＬＳＩ３１は、実施の形態１のソースドライバＬＳＩ１と同様に、ＴＣＰ４に搭載されている。該ソースドライバＬＳＩ３１を搭載した各ＴＣＰ４の側面に配されたＴＣＰ配線４ａと、下側基板６ａの接続用配線（ＩＴＯ配線）６ｃとを接続し、該接続用配線６ｃを介して互いに隣接するＴＣＰ４のＴＣＰ配線４ａと電気的に接続している。この接続は、ＴＣＰ出力端子４ｂと液晶パネル側端子６ｂとの接続と同時に、同じＡＣＦを介して熱圧着を行うことで実現できる。
【０１６５】
この構成により、各種信号線や電源関係電圧の外部配線を供給するフレキシブル基板７をなくすことができる。図示していないが、コントラローラ２は、別途フレキシブル基板７に搭載されて、先と同様に液晶パネル６上の液晶パネル側端子６ｂに接続することで搭載することができる。
【０１６６】
これにより、本実施の形態に係る表示素子用駆動装置は、消費電力を大幅に削減できることに加えて、軽量化、小型化、及び低コスト化を実現することができる。
【０１６７】
また、本実施の形態に係る液晶表示モジュールも、上記のような低消費電力化、薄型化、軽量化、小型化及び低コスト化を実現した表示素子用駆動装置を搭載しているので、この特性を生かしての低消費電力化、薄型化、軽量化、小型化及び低コスト化を実現できる。
【０１６８】
本実施の形態においては、以上のように、液晶パネル６の接続用配線６ｃを使用して、隣接するＴＣＰ４同士を接続するものであるが、他の方法として液晶パネル上の配線は使用せず、隣接するＴＣＰの配線同士を重ね合わせて接続することもできる。この方法は、本出願人による特開平５−２９７３９４号公報や特開平６−３６８４号公報や特開平１０−２１４８５８号公報等に開示されている。
【０１６９】
このような構成でも、配線用の外部基板（フレキシブル基板７あるいはプリント基板）をなくすことできるので、液晶モジュールの低価格化及び小型化が実現できる。
【０１７０】
【発明の効果】
以上のように、本発明に係る発明の表示素子用駆動装置は、各駆動回路は、次段の駆動回路へのスタートパルス信号の出力時、または出力より所定時間だけ早い出力所定時間前まで、クロック信号の次段の駆動回路への出力を停止する出力制御手段を有している構成である。
上記転送手段は、ｍ段のシフトレジスタであり、上記出力制御手段は、上記ｍ段のシフトレジスタの出力のうちの（ｍ−２）段の出力に基づいて、上記クロック信号および上記映像データ信号を次段の駆動回路に出力しているように構成することができる。
【０１７１】
これにより、動作させる必要のない駆動回路において、転送手段、選択手段、ラッチ手段等の高速動作による消費電力や、外部配線等の浮遊容量の充放電による消費電力を大幅に削減し、表示素子用駆動装置の低消費電力化を実現することができるという効果を奏する。
【０１７２】
さらに、外部配線数が削減できるので、表示素子用駆動装置の小型化を実現することができる。また、外部配線を配置するための外付けの基板を小型化、あるいは省略して、更なる表示素子用駆動装置の小型化を実現することができるという効果も併せて奏する。
【０１７３】
本発明に係る発明の表示素子用駆動装置は、映像データ信号は、複数の駆動回路間でカスケード接続されており、上記出力制御手段は、次段の駆動回路へのスタートパルス信号の出力時、または出力より所定時間だけ早い出力所定時間前まで、上記映像データ信号の次段の駆動回路への出力を停止する構成である。
【０１７４】
これにより、上記の発明による効果に加えて、動作させる必要のない駆動回路の高速動作による消費電力や、外部配線等の浮遊容量の充放電による消費電力を大幅に削減し、さらなる低消費電力化を実現することができるという効果を奏する。
【０１７５】
さらに、外部配線数が削減できるので、その結果、表示素子用駆動回路をさらに小型化することができる。また、外部配線を配置するための外付けの基板を小型化、あるいは省略して、更なる表示素子用駆動装置の小型化を実現することができるという効果も併せて奏する。
【０１７６】
本発明に係る発明の表示素子用駆動装置は、上記出力制御手段は、上記転送手段の出力のうちの一つの出力に基づいて、上記クロック信号を次段の駆動回路に出力している構成である。
【０１７７】
これにより、上記の発明による効果に加えて、駆動回路のサイズを大幅に増加させることなく、またコストアップも極力避けながら、消費電力を削減することができるという効果を奏する。
【０１７８】
本発明に係る発明の表示素子用駆動装置は、上記出力制御手段は、上記転送手段の出力のうちの一つの出力に基づいて、上記クロック信号または／及び上記映像データ信号を次段の駆動回路に出力している構成である。
【０１７９】
これにより、上記の発明による効果に加えて、駆動回路のサイズを大幅に増加させることなく、またコストアップも極力避けながら、消費電力を削減することができるという効果を奏する。
【０１８０】
本発明に係る発明の表示モジュールは、上記の表示素子用駆動装置と、該表示素子用駆動装置により駆動される表示素子とを備えている構成である。
【０１８１】
これにより、軽量化、薄型化、小型化及び低コスト化が実現された表示モジュールを実現することができるという効果を奏する。
【図面の簡単な説明】
【図１】本発明の第１の実施の形態に係る表示素子用駆動装置のシステム構成を示す説明図である。
【図２】上記表示素子用駆動装置を構成するソースドライバＬＳＩの構成を示すブロック図である。
【図３】上記ソースドライバＬＳＩを構成する出力制御回路の回路図である。
【図４】上記出力制御回路に入力される各種信号を示すタイミングチャートである。
【図５】隣接する上記ソースドライバＬＳＩに入力される各種信号を示すタイミングチャートである。
【図６】上記表示素子用駆動装置を用いた液晶モジュールの実施の一形態を示す平面図である。
【図７】上記液晶モジュールにおいて、上記ソースドライバＬＳＩの搭載状態を示す断面図である。
【図８】本発明の第２の実施の形態に係る表示素子用駆動装置のシステム構成を示す説明図である。
【図９】上記表示素子用駆動装置を構成するソースドライバＬＳＩの構成を示すブロック図である。
【図１０】上記表示素子用駆動装置を用いた液晶モジュールの実施の一形態を示す平面図である。
【図１１】上記液晶モジュールにおいて、上記ソースドライバＬＳＩの搭載状態を示す説明図である。
【図１２】従来の表示素子用駆動装置のシステム構成を示す説明図である。
【図１３】上記従来の表示素子用駆動装置を構成するソースドライバＬＳＩの構成を示すブロック図である。
【図１４】上記ソースドライバＬＳＩに入力される各種信号を示すタイミングチャートである。
【図１５】特開平５−７２９９２号公報に記載されている従来の表示素子用駆動装置の構成を示すブロック図である。
【図１６】特開平９−６８９４９号公報に記載されている従来の表示素子用駆動装置の構成を示すブロック図である。
【図１７】他の従来の表示素子用駆動装置のシステム構成を示す説明図である。
【図１８】上記従来の表示素子用駆動装置を構成するソースドライバＬＳＩの構成を示すブロック図である。
【図１９】他の従来の表示素子用駆動装置のシステム構成を示す説明図である。
【符号の説明】
１    ソースドライバＬＳＩ（駆動回路）
１ｂ  出力制御回路（出力制御手段）
６    液晶パネル（表示素子）
１１  シフトレジスタ（転送手段）
１３  サンプリングメモリ（選択手段）
１４  ホールドメモリ（ラッチ手段）
３１  ソースドライバＬＳＩ（駆動回路）
【図１】
0003647666.tif 000002
【図２】
0003647666.tif 000003
【図３】
0003647666.tif 000004
【図４】
0003647666.tif 000005
【図５】
0003647666.tif 000006
【図６】
0003647666.tif 000007
【図７】
0003647666.tif 000008
【図８】
0003647666.tif 000009
【図９】
0003647666.tif 000010
【図１０】
0003647666.tif 000011
【図１１】
0003647666.tif 000012
【図１２】
0003647666.tif 000013
【図１３】
0003647666.tif 000014
【図１４】
0003647666.tif 000015
【図１５】
0003647666.tif 000016
【図１６】
0003647666.tif 000017
【図１７】
0003647666.tif 000018
【図１８】
0003647666.tif 000019
【図１９】
0003647666.tif 000020